(57)【要約】【課題】負荷時タップ切換器の切換開閉器の蓄勢機構において、蓄勢機構の１つの入力から２つの出力を得る。【解決手段】周方向において回動する入力ディスク２１０と、入力ディスク２１０の回動中心を回転中心として回転する第１クランク１１０と、入力ディスク２１０の回動中心を回転中心として回転する第２クランク１２０とを備える。第１クランク１１０を拘束して第１クランク１１０の回転を規制する第１ラッチ１５０および第２ラッチ１６０と、第２クランク１２０を拘束して第２クランク１２０の回転を規制する第３ラッチ１７０および第４ラッチ１８０とを備える。第１ラッチ１５０および第２ラッチ１６０による第１クランク１１０の拘束を解除する第１クランク解除部２１３と、第３ラッチ１７０および第４ラッチ１８０による第２動力伝達部の拘束を解除する第２クランク解除部２１４とを備える。【選択図】図１０
2012222064.tif 000002
【特許請求の範囲】
【請求項１】
円環状の外形を有し、周方向において回動する動力入力部と、
第１開閉器駆動軸と繋がって、前記動力入力部の回動中心を回転中心として回転する第１動力伝達部と、
第２開閉器駆動軸と繋がって、前記動力入力部の回動中心を回転中心として回転する第２動力伝達部と、
前記動力入力部と前記第１動力伝達部とを連結する第１蓄勢部材と、
前記動力入力部と前記第２動力伝達部とを連結する第２蓄勢部材と、
前記第１動力伝達部を拘束して前記第１動力伝達部の回転を規制する第１拘束部と、
前記第２動力伝達部を拘束して前記第２動力伝達部の回転を規制する第２拘束部と、
前記第１拘束部による前記第１動力伝達部の拘束を解除する第１拘束解除部と、
前記第２拘束部による前記第２動力伝達部の拘束を解除する第２拘束解除部と
を備え、
前記第１拘束解除部および前記第２拘束解除部の各々が、前記動力入力部の回動に連動して動作する、負荷時タップ切換器の切換開閉器の蓄勢機構。
【請求項２】
前記動力入力部は、開口を有する平板上において周方向の所定の範囲を回動する入力ディスクから構成され、
前記第１動力伝達部は、前記回動中心と軸中心とが一致して前記開口を貫通するように配置された中空状の前記第１開閉器駆動軸と繋がって前記平板上に位置する第１クランクから構成され、
前記第２動力伝達部は、前記第１開閉器駆動軸の中空部に配置された前記第２開閉器駆動軸と繋がって前記第１クランク上に位置する第２クランクから構成され、
前記第１蓄勢部材は、一端が前記入力ディスクに、他端が前記第１クランクに取付けられた第１ばねから構成され、
前記第２蓄勢部材は、一端が前記入力ディスクに、他端が前記第２クランクに取付けられた第２ばねから構成され、
前記第１拘束部は、前記入力ディスクが周方向において一方の方向に回転した際に前記第１クランクを第１固定位置に固定する第１ラッチ、および、前記入力ディスクが周方向において他方の方向に回転した際に前記第１クランクを第２固定位置に固定する第２ラッチから構成され、
前記第２拘束部は、前記入力ディスクが周方向において前記一方の方向に回転した際に前記第２クランクを第３固定位置に固定する第３ラッチ、および、前記入力ディスクが周方向において前記他方の方向に回転した際に前記第２クランクを第４固定位置に固定する第４ラッチから構成され、
前記第１拘束解除部は、前記入力ディスクの内周面と繋がって、前記入力ディスクが周方向において前記一方の方向に回転した際に前記第１ラッチを押圧することにより前記第１ラッチによる前記第１クランクの固定を解除し、かつ、前記入力ディスクが周方向において前記他方の方向に回転した際に前記第２ラッチを押圧することにより前記第２ラッチによる前記第１クランクの固定を解除する第１クランク解除部から構成され、
前記第２拘束解除部は、前記入力ディスクの内周面と繋がって、前記入力ディスクが周方向において前記一方の方向に回転した際に前記第３ラッチを押圧することにより前記第３ラッチによる前記第２クランクの固定を解除し、かつ、前記入力ディスクが周方向において前記他方の方向に回転した際に前記第４ラッチを押圧することにより前記第４ラッチによる前記第２クランクの固定を解除する第２クランク解除部から構成された、請求項１に記載の負荷時タップ切換器の切換開閉器の蓄勢機構。
【請求項３】
前記動力入力部は、開口を有する平板上において周方向の所定の範囲を回動する入力ディスクから構成され、
前記第１動力伝達部は、前記回動中心と軸中心とが一致して前記開口を貫通するように配置された中空状の前記第１開閉器駆動軸と繋がって前記平板上に位置する第１クランクから構成され、
前記第２動力伝達部は、前記第１開閉器駆動軸の中空部に配置された前記第２開閉器駆動軸と繋がって前記第１クランク上に位置する第２クランクから構成され、
前記第１蓄勢部材は、一端が前記入力ディスクに、他端が前記第１クランクに取付けられた第１ばねから構成され、
前記第２蓄勢部材は、一端が前記入力ディスクに、他端が前記第２クランクに取付けられた第２ばねから構成され、
前記第１拘束部は、前記入力ディスクが周方向において一方の方向に回転した際に前記第１クランクを第１固定位置に固定する第１ラッチ、および、前記入力ディスクが周方向において他方の方向に回転した際に前記第１クランクを第２固定位置に固定する第２ラッチから構成され、
前記第２拘束部は、前記入力ディスクが周方向において前記一方の方向に回転した際に前記第２クランクを第３固定位置に固定する第３ラッチ、および、前記入力ディスクが周方向において前記他方の方向に回転した際に前記第２クランクを第４固定位置に固定する第４ラッチから構成され、
前記第１拘束解除部は、前記入力ディスクの内周面と繋がって、前記入力ディスクが周方向において前記一方の方向に回転した際に前記第１ラッチを押圧することにより前記第１ラッチによる前記第１クランクの固定を解除し、かつ、前記入力ディスクが周方向において前記他方の方向に回転した際に前記第２ラッチを押圧することにより前記第２ラッチによる前記第１クランクの固定を解除する第１クランク解除部から構成され、
前記第２拘束解除部は、前記第１開閉器駆動軸の外側面と繋がって前記開口を貫通して前記平板の上方に突出して、前記第１開閉器駆動軸が周方向において前記一方の方向に回転した際に前記第３ラッチを押圧することにより前記第３ラッチによる前記第２クランクの固定を解除し、かつ、前記第１開閉器駆動軸が周方向において前記他方の方向に回転した際に前記第４ラッチを押圧することにより前記第４ラッチによる前記第２クランクの固定を解除する第２クランク解除部から構成された、請求項１に記載の負荷時タップ切換器の切換開閉器の蓄勢機構。
【請求項４】
前記第１クランク解除部による前記第１クランクの固定の解除時期と前記第２クランク解除部による前記第２クランクの固定の解除時期とに所定の間隔が設けられた、請求項２または３に記載の負荷時タップ切換器の切換開閉器の蓄勢機構。
【請求項５】
前記所定の間隔が、前記第１ラッチ、前記第２ラッチ、前記第３ラッチおよび前記第４ラッチの前記平板上における配置によって調節された、請求項４に記載の負荷時タップ切換器の切換開閉器の蓄勢機構。
【請求項６】
前記所定の間隔が、前記第１ラッチ、前記第２ラッチ、前記第３ラッチおよび前記第４ラッチの形状によって調節された、請求項４に記載の負荷時タップ切換器の切換開閉器の蓄勢機構。
【請求項７】
前記所定の間隔が、前記第１クランク解除部および前記第２クランク解除部の形状によって調節された、請求項４に記載の負荷時タップ切換器の切換開閉器の蓄勢機構。
【発明の詳細な説明】
【技術分野】
【０００１】
本発明は、負荷時タップ切換器の切換開閉器の蓄勢機構に関する。
【背景技術】
【０００２】
蓄勢機構を有する切換開閉器を開示した先行文献として特許文献１がある。特許文献１に開示された切換開閉器においては、タップ端子間の接続を切り換えるために蓄勢機構の出力側に結合されて回動する主開閉器駆動軸に連結された主切換開閉器と、限流抵抗器の接続を変更する副切換開閉器とを備える。
【先行技術文献】
【特許文献】
【０００３】
【特許文献１】実公昭６３−２８８２２号公報
【発明の概要】
【発明が解決しようとする課題】
【０００４】
切換開閉器の構成によっては、蓄勢機構の出力が２つ必要となる場合がある。特許文献１に記載された切換開閉器においては蓄勢機構の出力を１つしか得ることができない。
【０００５】
本発明は上記の問題点に鑑みてなされたものであって、蓄勢機構の１つの入力から２つの出力を得ることができる、負荷時タップ切換器の切換開閉器の蓄勢機構を提供することを目的とする。
【課題を解決するための手段】
【０００６】
本発明に基づく負荷時タップ切換器の切換開閉器の蓄勢機構は、円環状の外形を有し、周方向において回動する動力入力部と、第１開閉器駆動軸と繋がって、動力入力部の回動中心を回転中心として回転する第１動力伝達部と、第２開閉器駆動軸と繋がって、動力入力部の回動中心を回転中心として回転する第２動力伝達部とを備える。また、負荷時タップ切換器の切換開閉器の蓄勢機構は、動力入力部と第１動力伝達部とを連結する第１蓄勢部材と、動力入力部と第２動力伝達部とを連結する第２蓄勢部材とを備える。さらに、負荷時タップ切換器の切換開閉器の蓄勢機構は、第１動力伝達部を拘束して第１動力伝達部の回転を規制する第１拘束部と、第２動力伝達部を拘束して第２動力伝達部の回転を規制する第２拘束部とを備える。また、負荷時タップ切換器の切換開閉器の蓄勢機構は、第１拘束部による第１動力伝達部の拘束を解除する第１拘束解除部と、第２拘束部による第２動力伝達部の拘束を解除する第２拘束解除部とを備える。第１拘束解除部および第２拘束解除部の各々が、動力入力部の回動に連動して動作する。
【発明の効果】
【０００７】
本発明によれば、負荷時タップ切換器の切換開閉器の蓄勢機構において、蓄勢機構の１つの入力から２つの出力を得ることができる。
【図面の簡単な説明】
【０００８】
【図１】変圧器巻線の奇数側タップに接続されている状態を示す切換開閉器の回路図である。
【図２】主真空スイッチを開極した状態を示す切換開閉器の回路図である。
【図３】通電スイッチを切り換えている状態を示す切換開閉器の回路図である。
【図４】通電スイッチを偶数側タップに繋がった配線に接続した状態を示す切換開閉器の回路図である。
【図５】主真空スイッチを閉極した状態を示す切換開閉器の回路図である。
【図６】抵抗真空スイッチを開極した状態を示す切換開閉器の回路図である。
【図７】補助スイッチを切り換えている状態を示す切換開閉器の回路図である。
【図８】補助スイッチを偶数側タップに繋がった配線に接続した状態を示す切換開閉器の回路図である。
【図９】抵抗真空スイッチを閉極した状態を示す切換開閉器の回路図である。
【図１０】本発明の実施形態１に係る負荷時タップ切換器の切換開閉器の蓄勢機構の構成を示す斜視図である。
【図１１】第１クランクが第２固定位置に固定され、第２クランクが第４固定位置に固定されている状態を示す蓄勢機構の平面図である。
【図１２】入力ディスクが左周りに回転している途中の状態を示す蓄勢機構の平面図である。
【図１３】第２クランク解除部が第４ラッチの短手部に接触した状態を示す蓄勢機構の平面図である。
【図１４】第２クランク解除部が第４ラッチの短手部を押圧して第２クランクの拘束を解除した状態を示す蓄勢機構の平面図である。
【図１５】第２ばねの蓄勢力が開放されて第２クランクが回転している状態を示す蓄勢機構の平面図である。
【図１６】第２クランクが第３ラッチに拘束されて第３固定位置に固定された状態を示す蓄勢機構の平面図である。
【図１７】第１クランク解除部が第２ラッチの短手部を押圧して第１クランクの拘束を解除した状態を示す蓄勢機構の平面図である。
【図１８】第１ばねの蓄勢力が開放されて第１クランクが回転している状態を示す蓄勢機構の平面図である。
【図１９】第１クランクが第１ラッチに拘束されて第１固定位置に固定された状態を示す蓄勢機構の平面図である。
【図２０】入力ディスクが右周りに回転している途中の状態を示す蓄勢機構の平面図である。
【図２１】第２クランク解除部が第３ラッチの短手部に接触した状態を示す蓄勢機構の平面図である。
【図２２】第２クランク解除部が第３ラッチの短手部を押圧して第２クランクの拘束を解除した状態を示す蓄勢機構の平面図である。
【図２３】第２ばねの蓄勢力が開放されて第２クランクが回転している状態を示す蓄勢機構の平面図である。
【図２４】第２クランクが第４ラッチに拘束されて第４固定位置に固定された状態を示す蓄勢機構の平面図である。
【図２５】第１クランク解除部が第１ラッチの短手部を押圧して第１クランクの拘束を解除した状態を示す蓄勢機構の平面図である。
【図２６】第１ばねの蓄勢力が開放されて第１クランクが回転している状態を示す蓄勢機構の平面図である。
【図２７】同実施形態の蓄勢機構において、第１クランクと第２クランクの固定解除時期に所定の間隔を設けた状態を示す蓄勢機構の平面図である。
【図２８】第１クランクと第２クランクの固定解除時期を同期させた状態を示す蓄勢機構の平面図である。
【図２９】本発明の実施形態２に係る負荷時タップ切換器の切換開閉器の蓄勢機構の構成を示す平面図である。
【図３０】本発明の実施形態３に係る負荷時タップ切換器の切換開閉器の蓄勢機構の構成を示す平面図である。
【図３１】本発明の実施形態４に係る負荷時タップ切換器の蓄勢機構の構成を示す斜視図である。
【図３２】同実施形態に係る蓄勢機構を下方から見た斜視図である。
【図３３】同実施形態に係る蓄勢機構の構成を示す断面図である。
【図３４】第１クランクが第２固定位置に固定され、第２クランクが第４固定位置に固定されている状態を示す蓄勢機構の平面図である。
【図３５】入力ディスクが左周りに回転している途中の状態を示す蓄勢機構の平面図である。
【図３６】第１クランク解除部が第２ラッチの短手部に接触した状態を示す蓄勢機構の平面図である。
【図３７】第１クランク解除部が第２ラッチの短手部を押圧して第１クランクの拘束を解除した状態を示す蓄勢機構の平面図である。
【図３８】第２ばねの蓄勢力が開放されて第１クランクが回転している状態を示す蓄勢機構の平面図である。
【図３９】第２クランク解除部が第４ラッチの短手部に接触した状態を示す蓄勢機構の平面図である。
【図４０】第２クランク解除部が第４ラッチの短手部を押圧して第２クランクの拘束を解除した状態を示す蓄勢機構の平面図である。
【図４１】第２ばねの蓄勢力が開放されて第２クランクが回転している状態を示す蓄勢機構の平面図である。
【図４２】第２クランクが第３ラッチに拘束されて第３固定位置に固定された状態を示す蓄勢機構の平面図である。
【発明を実施するための形態】
【０００９】
以下、本発明の実施形態１に係る負荷時タップ切換器の切換開閉器の蓄勢機構について図面を参照して説明する。以下の実施形態の説明においては、図中の同一または相当部分には同一符号を付して、その説明は繰返さない。
【００１０】
(実施形態１)
まず、本発明の実施形態１に係る負荷時タップ切換器の切換開閉器の動作シーケンスについて説明する。
【００１１】
図１は、変圧器巻線の奇数側タップに接続されている状態を示す切換開閉器の回路図である。図１に示すように、負荷時タップ切換器の切換開閉器においては、変圧器巻線１０の奇数側タップ１１と偶数側タップ１２との切換が行なわれる。
【００１２】
負荷時タップ切換器の切換開閉器は、タップ切換途中に負荷電流を寸断させることのないように、奇数側タップと偶数側タップとのタップ間橋絡状態でタップ間電圧による橋絡電流を制限するための限流抵抗器４０を有する。限流抵抗器４０には、抵抗真空スイッチ３０および主真空スイッチ２０が直列に接続されている。
【００１３】
負荷時タップ切換器の切換開閉器は、奇数側タップ１１に繋がった配線または偶数側タップ１２と繋がった配線と限流抵抗器４０とを選択的に接続する補助スイッチ５０を有する。また、負荷時タップ切換器の切換開閉器は、奇数側タップ１１に繋がった配線または偶数側タップ１２と繋がった配線と主真空スイッチ２０とを選択的に接続する通電スイッチ６０を有する。
【００１４】
負荷時タップ切換器の切換開閉器においては、抵抗真空スイッチ３０と主真空スイッチ２０との間に接続された配線７０から負荷電流が流れるとともに、タップ間電圧による橋絡電流が流れる。
【００１５】
図１に示す状態においては、主真空スイッチ２０および抵抗真空スイッチ３０は閉極しており、補助スイッチ５０および通電スイッチ６０は奇数側タップ１１に繋がった配線に接続されている。その結果、図中の矢印で示すルートで負荷電流が流れる。
【００１６】
図２は、主真空スイッチを開極した状態を示す切換開閉器の回路図である。図２に示すように、主真空スイッチ２０を開極することにより、図中の矢印で示すルートで負荷電流が流れる。
【００１７】
図３は、通電スイッチを切り換えている状態を示す切換開閉器の回路図である。図３に示すように、通電スイッチ６０を切り換えている状態においては、図中の矢印で示すルートで負荷電流が流れる。
【００１８】
図４は、通電スイッチを偶数側タップに繋がった配線に接続した状態を示す切換開閉器の回路図である。図４に示すように、通電スイッチ６０を偶数側タップ１２に繋がった配線に接続した状態において、図中の矢印で示すルートで負荷電流が流れる。
【００１９】
図５は、主真空スイッチを閉極した状態を示す切換開閉器の回路図である。図５に示すように、主真空スイッチ２０を閉極することにより、図中の矢印で示すルートで負荷電流が流れる。
【００２０】
図６は、抵抗真空スイッチを開極した状態を示す切換開閉器の回路図である。図６に示すように、抵抗真空スイッチ３０を開極することにより、図中の矢印で示すルートで負荷電流が流れる。
【００２１】
図７は、補助スイッチを切り換えている状態を示す切換開閉器の回路図である。図７に示すように、補助スイッチ５０を切り換えている状態において、図中の矢印で示すルートで負荷電流が流れる。
【００２２】
図８は、補助スイッチを偶数側タップに繋がった配線に接続した状態を示す切換開閉器の回路図である。図８に示すように、補助スイッチ５０を偶数側タップ１２に繋がった配線に接続した状態において、図中の矢印で示すルートで負荷電流が流れる。
【００２３】
図９は、抵抗真空スイッチを閉極した状態を示す切換開閉器の回路図である。図９に示すように、抵抗真空スイッチ３０を閉極した状態において、図中の矢印で示すルートで負荷電流が流れる。
【００２４】
上記のシーケンスを行なうことにより、負荷電流が出力される配線７０と接続されるタップを奇数側タップ１１から偶数側タップ１２に切換ることができる。
【００２５】
以下、本実施形態に係る負荷時タップ切換器の切換開閉器の蓄勢機構の構成について説明する。
【００２６】
図１０は、本発明の実施形態１に係る負荷時タップ切換器の切換開閉器の蓄勢機構の構成を示す斜視図である。図１０に示すように、本実施形態に係る負荷時タップ切換器の切換開閉器の蓄勢機構１００(以下、蓄勢機構１００と称す)は、円環状の外形を有し、周方向において回動する動力入力部である入力ディスク２１０を備える。入力ディスク２１０は、中心部に開口を有して周方向の所定の範囲を回動する。
【００２７】
入力ディスク２１０は、中心部に開口を有する円盤２４０の上面に配置されている。入力ディスク２１０の回動中心と円盤２４０の中心とは、一致している。本実施形態においては、入力ディスク２１０は、円盤２４０上に配置されているが、円盤に限られず、平板上に配置されていればよい。
【００２８】
円盤２４０上には、入力ディスク２１０の回動中心と軸中心とが一致するように配置された中空状の第１開閉器駆動軸１３０と繋がった第１動力伝達部である第１クランク１１０が配置されている。第１開閉器駆動軸１３０は、円盤２４０の中心部の開口を貫通している。第１開閉器駆動軸１３０には、補助スイッチ５０の接触子が接続されている。
【００２９】
第１クランク１１０は、入力ディスク２１０の回動中心を回転中心として回転する。第１クランク１１０は、後述する第１ラッチ１５０に固定される際に第１ラッチ１５０と係合する第１側部１１１と、後述する第２ラッチ１６０に固定される際に第２ラッチ１６０と係合する第２側部１１２とを含む。
【００３０】
第１クランク１１０上には、第１開閉器駆動軸１３０の中空部に配置された第２開閉器駆動軸１４０と繋がった第２動力伝達部である第２クランク１２０が配置されている。第２開閉器駆動軸１４０には、通電スイッチ６０の接触子が接続されている。第２開閉器駆動軸１４０は、円盤２４０の中心部の開口を貫通している。
【００３１】
第２クランク１２０は、入力ディスク２１０の回動中心を回転中心として回転する。第２クランク１２０は、後述する第３ラッチ１７０に固定される際に第３ラッチ１７０と係合する第３側部１２１と、後述する第４ラッチ１８０に固定される際に第４ラッチ１８０と係合する第４側部１２２とを含む。
【００３２】
入力ディスク２１０と第１クランク１１０とは第１蓄勢部材である第１ばね１９０により連結されている。具体的には、入力ディスク２１０の上面の一部から突出した突出部２１１に第１ばね１９０の一端が取付けられている。第１クランク１１０の上面の一部から突出した突出部１１３に第１ばね１９０の他端が取付けられている。
【００３３】
入力ディスク２１０と第２クランク１２０とは第２蓄勢部材である第２ばね２００により連結されている。具体的には、入力ディスク２１０の上面の一部から突出した突出部２１２に第２ばね２００の一端が取付けられている。第２クランク１２０の上面の一部から突出した突出部１２３に第２ばね２００の他端が取付けられている。
【００３４】
円盤２４０上には、第１クランク１１０を拘束して第１クランク１１０の回転を規制する第１拘束部である第１ラッチ１５０および第２ラッチ１６０が配置されている。第１ラッチ１５０は、入力ディスク２１０が周方向において一方の方向に回転した際に第１クランク１１０を第１固定位置に固定する。第２ラッチ１６０は、入力ディスク２１０が周方向において他方の方向に回転した際に第１クランク１１０を第２固定位置に固定する。
【００３５】
具体的には、第１ラッチ１５０は、平面視略Ｌ字状の形状を有している。第１ラッチ１５０は、短手部１５１と長手部１５２とを有する。第１ラッチ１５０は、短手部１５１と長手部１５２との交差点においてラッチピン１５３により円盤２４０上に軸支されている。
【００３６】
第２ラッチ１６０は、平面視略Ｌ字状の形状を有している。第２ラッチ１６０は、短手部１６１と長手部１６２とを有する。第２ラッチ１６０は、短手部１６１と長手部１６２との交差点においてラッチピン１６３により円盤２４０上に軸支されている。
【００３７】
第１ラッチ１５０と第２ラッチ１６０とは、長手部１５２の先端と長手部１６２の先端とが接近するように配置されている。また、第１ラッチ１５０と第２ラッチ１６０とは、それぞれラッチピン１５３およびラッチピン１６３を中心に回動した際に互いに接触しないように配置されている。
【００３８】
第１ラッチ１５０の長手部１５２は、ばね１５４により入力ディスク２１０の中心側に付勢されている。第２ラッチ１６０の長手部１６２は、ばね１６４により入力ディスク２１０の中心側に付勢されている。
【００３９】
円盤２４０上には、第２クランク１２０を拘束して第２クランク１２０の回転を規制する第２拘束部である第３ラッチ１７０および第４ラッチ１８０が配置されている。第３ラッチ１７０は、入力ディスク２１０が周方向において一方の方向に回転した際に第２クランク１２０を第３固定位置に固定する。第４ラッチ１８０は、入力ディスク２１０が周方向において他方の方向に回転した際に第２クランク１２０を第４固定位置に固定する。
【００４０】
第３ラッチ１７０は、平面視略Ｌ字状の形状を有している。第３ラッチ１７０は、短手部１７１と長手部１７２とを有する。第３ラッチ１７０は、短手部１７１と長手部１７２との交差点においてラッチピン１７３により円盤２４０上に軸支されている。
【００４１】
第４ラッチ１８０は、平面視略Ｌ字状の形状を有している。第４ラッチ１８０は、短手部１８１と長手部１８２とを有する。第４ラッチ１８０は、短手部１８１と長手部１８２との交差点においてラッチピン１８３により円盤２４０上に軸支されている。
【００４２】
第３ラッチ１７０と第４ラッチ１８０とは、長手部１７２の先端と長手部１８２の先端とが接近するように配置されている。また、第３ラッチ１７０と第４ラッチ１８０とは、それぞれラッチピン１７３およびラッチピン１８３を中心に回動した際に互いに接触しないように配置されている。
【００４３】
第３ラッチ１７０の長手部１７２は、図示しないばねにより入力ディスク２１０の中心側に付勢されている。第４ラッチ１８０の長手部１８２は、図示しないばねにより入力ディスク２１０の中心側に付勢されている。
【００４４】
入力ディスク２１０の内周面には、第１ラッチ１５０および第２ラッチ１６０による第１クランク１１０の拘束を解除する第１拘束解除部である第１クランク解除部２１３が設けられている。
【００４５】
第１クランク解除部２１３は、入力ディスク２１０が周方向において一方の方向に回転した際に第１ラッチ１５０の短手部１５１を押圧することにより第１ラッチ１５０による第１クランク１１０の固定を解除する。かつ、第１クランク解除部２１３は、入力ディスク２１０が周方向において他方の方向に回転した際に第２ラッチ１６０の短手部１６１を押圧することにより第２ラッチ１６０による第１クランク１１０の固定を解除する。
【００４６】
具体的には、第１クランク解除部２１３が第１ラッチ１５０の短手部１５１を押圧することにより、第１ラッチ１５０がラッチピン１５３を中心として回動する。このとき、第１ラッチ１５０の長手部１５２は、ばね１５４の付勢力に反して、入力ディスク２１０の中心から離れる方向に移動する。
【００４７】
第１クランク解除部２１３が第２ラッチ１６０の短手部１６１を押圧することにより、第２ラッチ１６０がラッチピン１６３を中心として回動する。このとき、第２ラッチ１６０の長手部１６２は、ばね１６４の付勢力に反して、入力ディスク２１０の中心から離れる方向に移動する。
【００４８】
入力ディスク２１０内周面には、第３ラッチ１７０および第４ラッチ１８０による第２クランク１２０の拘束を解除する第２拘束解除部である第２クランク解除部２１４が設けられている。
【００４９】
第２クランク解除部２１４は、入力ディスク２１０が周方向において一方の方向に回転した際に第３ラッチ１７０の短手部１７１を押圧することにより第３ラッチ１７０による第２クランク１２０の固定を解除する。かつ、第２クランク解除部２１４は、入力ディスク２１０が周方向において他方の方向に回転した際に第４ラッチ１８０の短手部１８１を押圧することにより第４ラッチ１８０による第２クランク１２０の固定を解除する。
【００５０】
具体的には、第２クランク解除部２１４が第３ラッチ１７０の短手部１７１を押圧することにより、第３ラッチ１７０がラッチピン１７３を中心として回動する。このとき、第３ラッチ１７０の長手部１７２は、ばねの付勢力に反して、入力ディスク２１０の中心から離れる方向に移動する。
【００５１】
第２クランク解除部２１４が第４ラッチ１８０の短手部１８１を押圧することにより、第４ラッチ１８０がラッチピン１８３を中心として回動する。このとき、第４ラッチ１８０の長手部１８２は、ばねの付勢力に反して、入力ディスク２１０の中心から離れる方向に移動する。
【００５２】
第１クランク解除部２１３および第２クランク解除部２１４の各々は、入力ディスク２１０の回動に連動して動作する。
【００５３】
以下、本実施形態に係る蓄勢機構１００の動作について説明する。
図１１は、第１クランクが第２固定位置に固定され、第２クランクが第４固定位置に固定されている状態を示す蓄勢機構の平面図である。なお、以下の説明に用いる図においては、簡単のため、蓄勢機構１００の構成の一部を図示していない。
【００５４】
図１１に示すように、第１クランク１１０が第２固定位置に固定されている状態においては、第１クランク１１０の第２側部１１２と第２ラッチ１６０の長手部１６２とが係合している。このとき、第１ラッチ１５０による第１クランク１１０の拘束は解除されている。また、第１ばね１９０は、引っ張られておらず蓄勢していない。
【００５５】
第２クランク１２０が第４固定位置に固定されている状態においては、第２クランク１２０の第４側部１２２と第４ラッチ１８０の長手部１８２とが係合している。このとき、第３ラッチ１７０による第２クランク１２０の拘束は解除されている。また、第２ばね２００は、引っ張られておらず蓄勢していない。
【００５６】
図１２は、入力ディスクが左周りに回転している途中の状態を示す蓄勢機構の平面図である。図１２に示すように、入力ディスク２１０が矢印２２０で示すように左周りに回転し始めると、第１クランク１１０は第２ラッチ１６０に拘束されているため回転できない。そのため、第１ばね１９０が引っ張られて蓄勢される。同様に、第２クランク１２０は第４ラッチ１８０に拘束されているため回転できない。そのため、第２ばね２００が引っ張られて蓄勢される。
【００５７】
図１３は、第２クランク解除部が第４ラッチの短手部に接触した状態を示す蓄勢機構の平面図である。図１３に示すように、本実施形態においては、入力ディスク２１０が左周りに回転して第２クランク解除部２１４が第４ラッチ１８０の短手部１８１に接触したとき、第１クランク解除部２１３は第２ラッチ１６０の短手部１６１に接触していない。上記の関係を満たすように、第１クランク解除部２１３、第２クランク解除部２１４、第２ラッチ１６０および第４ラッチ１８０が配置されている。
【００５８】
図１４は、第２クランク解除部が第４ラッチの短手部を押圧して第２クランクの拘束を解除した状態を示す蓄勢機構の平面図である。図１４に示すように、第２クランク解除部２１４が第４ラッチ１８０の短手部１８１を押圧することにより、第４ラッチ１８０はラッチピン１８３を中心に矢印２２１で示す方向に回動する。その結果、第４ラッチ１８０による第２クランク１２０の拘束が解除される。
【００５９】
図１５は、第２ばねの蓄勢力が開放されて第２クランクが回転している状態を示す蓄勢機構の平面図である。図１５に示すように、第４ラッチ１８０による第２クランク１２０の拘束が解除されたことにより、第２ばね２００の蓄勢力が開放される。その結果、第２クランク１２０は、入力ディスク２１０の中心を回転中心として矢印２２３で示す方向に回転する。
【００６０】
このとき、第１クランク解除部２１３が第２ラッチ１６０の短手部１６１を押圧することにより、第２ラッチ１６０はラッチピン１６３を中心に矢印２２２で示す方向に回動する。
【００６１】
図１６は、第２クランクが第３ラッチに拘束されて第３固定位置に固定された状態を示す蓄勢機構の平面図である。図１６に示すように、第２クランク１２０が矢印２２３方向に回転して第３固定位置に到達すると、第３ラッチ１７０は、ばねの付勢力によりラッチピン１７３を中心に矢印２２４で示す方向に回動する。
【００６２】
その結果、第２クランク１２０の第３側部１２１と第３ラッチ１７０の長手部１７２とが係合して、第２クランク１２０が第３ラッチ１７０により拘束されて第３固定位置に固定される。
【００６３】
このように、第２クランク１２０が第４固定位置から第３固定位置に移動することにより、第２クランク１２０に連結されている第２開閉器駆動軸１４０が回転して、図２から図５に示す切換開閉器のシーケンスが行なわれる。
【００６４】
図１７は、第１クランク解除部が第２ラッチの短手部を押圧して第１クランクの拘束を解除した状態を示す蓄勢機構の平面図である。図１７に示すように、第１クランク解除部２１３が第２ラッチ１６０の短手部１６１を押圧することにより、第２ラッチ１６０はラッチピン１６３を中心に矢印２２２で示す方向に回動する。その結果、第２ラッチ１６０による第１クランク１１０の拘束が解除される。
【００６５】
図１８は、第１ばねの蓄勢力が開放されて第１クランクが回転している状態を示す蓄勢機構の平面図である。図１８に示すように、第２ラッチ１６０による第１クランク１１０の拘束が解除されたことにより、第１ばね１９０の蓄勢力が開放される。その結果、第１クランク１１０は、入力ディスク２１０の中心を回転中心として矢印２２５で示す方向に回転する。
【００６６】
図１９は、第１クランクが第１ラッチに拘束されて第１固定位置に固定された状態を示す蓄勢機構の平面図である。図１９に示すように、第１クランク１１０が矢印２２５方向に回転して第１固定位置に到達すると、第１ラッチ１５０は、ばね１５４の付勢力によりラッチピン１５３を中心に矢印２２６で示す方向に回動する。
【００６７】
その結果、第１クランク１１０の第１側部１１１と第１ラッチ１５０の長手部１５２とが係合して、第１クランク１１０が第１ラッチ１５０により拘束されて第１固定位置に固定される。
【００６８】
このように、第１クランク１１０が第２固定位置から第１固定位置に移動することにより、第１クランク１１０に連結されている第１開閉器駆動軸１３０が回転して、図６から図９に示す切換開閉器のシーケンスが行なわれる。
【００６９】
図２０は、入力ディスクが右周りに回転している途中の状態を示す蓄勢機構の平面図である。図２０に示すように、図１９に示す状態から入力ディスク２１０が矢印２３０で示すように右周りに回転し始めると、第１クランク１１０は第１ラッチ１５０に拘束されているため回転できない。そのため、第１ばね１９０が引っ張られて蓄勢される。同様に、第２クランク１２０は第３ラッチ１７０に拘束されているため回転できない。そのため、第２ばね２００が引っ張られて蓄勢される。
【００７０】
図２１は、第２クランク解除部が第３ラッチの短手部に接触した状態を示す蓄勢機構の平面図である。図２１に示すように、本実施形態においては、入力ディスク２１０が右周りに回転して第２クランク解除部２１４が第３ラッチ１７０の短手部１７１に接触したとき、第１クランク解除部２１３は第１ラッチ１５０の短手部１５１に接触していない。上記の関係を満たすように、第１クランク解除部２１３、第２クランク解除部２１４、第１ラッチ１５０および第３ラッチ１７０が配置されている。
【００７１】
図２２は、第２クランク解除部が第３ラッチの短手部を押圧して第２クランクの拘束を解除した状態を示す蓄勢機構の平面図である。図２２に示すように、第２クランク解除部２１４が第３ラッチ１７０の短手部１７１を押圧することにより、第３ラッチ１７０はラッチピン１７３を中心に矢印２３１で示す方向に回動する。その結果、第３ラッチ１７０による第２クランク１２０の拘束が解除される。
【００７２】
図２３は、第２ばねの蓄勢力が開放されて第２クランクが回転している状態を示す蓄勢機構の平面図である。図２３に示すように、第３ラッチ１７０による第２クランク１２０の拘束が解除されたことにより、第２ばね２００の蓄勢力が開放される。その結果、第２クランク１２０は、入力ディスク２１０の中心を回転中心として矢印２３３で示す方向に回転する。
【００７３】
このとき、第１クランク解除部２１３が第１ラッチ１５０の短手部１５１を押圧することにより、第１ラッチ１５０はラッチピン１５３を中心に矢印２３２で示す方向に回動する。
【００７４】
図２４は、第２クランクが第４ラッチに拘束されて第４固定位置に固定された状態を示す蓄勢機構の平面図である。図２４に示すように、第２クランク１２０が矢印２３３方向に回転して第４固定位置に到達すると、第４ラッチ１８０は、ばねの付勢力によりラッチピン１８３を中心に矢印２３４で示す方向に回動する。
【００７５】
その結果、第２クランク１２０の第４側部１２２と第４ラッチ１８０の長手部１８２とが係合して、第２クランク１２０が第４ラッチ１８０により拘束されて第４固定位置に固定される。
【００７６】
このように、第２クランク１２０が第３固定位置から第４固定位置に移動することにより、第２クランク１２０に連結されている第２開閉器駆動軸１４０が回転する。
【００７７】
図２５は、第１クランク解除部が第１ラッチの短手部を押圧して第１クランクの拘束を解除した状態を示す蓄勢機構の平面図である。図２５に示すように、第１クランク解除部２１３が第１ラッチ１５０の短手部１５１を押圧することにより、第１ラッチ１５０はラッチピン１５３を中心に矢印２３２で示す方向に回動する。その結果、第１ラッチ１５０による第１クランク１１０の拘束が解除される。
【００７８】
図２６は、第１ばねの蓄勢力が開放されて第１クランクが回転している状態を示す蓄勢機構の平面図である。図２６に示すように、第１ラッチ１５０による第１クランク１１０の拘束が解除されたことにより、第１ばね１９０の蓄勢力が開放される。その結果、第１クランク１１０は、入力ディスク２１０の中心を回転中心として矢印２３５で示す方向に回転する。
【００７９】
第１クランク１１０が矢印２３５方向に回転して第２固定位置に到達すると、第２ラッチ１６０は、ばねの付勢力によりラッチピン１６３を中心に回動する。その結果、図１１に示すように、第１クランク１１０の第２側部１１２と第２ラッチ１６０の長手部１６２とが係合して、第１クランク１１０が第２ラッチ１６０により拘束されて第２固定位置に固定される。
【００８０】
このように、第１クランク１１０が第１固定位置から第２固定位置に移動することにより、第１クランク１１０に連結されている第１開閉器駆動軸１３０が回転する。
【００８１】
その結果、上記の負荷電流が出力される配線７０と接続されるタップが、偶数側タップ１２から奇数側タップ１１に切り換えられる。
【００８２】
上記の構成により、蓄勢機構１００においては、１つの動力入力部である入力ディスク２１０を用いて、第１クランク１１０および第２クランク１２０を回転させることにより２つの出力を得ることができる。その結果、第１開閉器駆動軸１３０および第２開閉器駆動軸１４０の各々を回転させて、負荷時タップ切換器の切換開閉を行なうことができる。
【００８３】
本実施形態においては、第１クランク解除部２１３による第１クランク１１０の固定の解除時期と第２クランク解除部２１４による第２クランク１２０の固定の解除時期とに所定の間隔が設けられている。
【００８４】
図２７は、本実施形態の蓄勢機構において、第１クランクと第２クランクの固定解除時期に所定の間隔を設けた状態を示す蓄勢機構の平面図である。図２７に示すように、本実施形態の蓄勢機構１００においては、第２クランク解除部２１４と第４ラッチ１８０の短手部１８１とが接触した状態で、第１クランク解除部２１３と第２ラッチ１６０の短手部１６１との間に距離Ｌを設けている。第１ラッチ１５０および第３ラッチ１７０についても同様にすることができる。
【００８５】
この距離Ｌの長さを調節することにより、第１クランク解除部２１３による第１クランク１１０の固定の解除時期と第２クランク解除部２１４による第２クランク１２０の固定の解除時期との間の所定の間隔を調節している。
【００８６】
図２８は、第１クランクと第２クランクの固定解除時期を同期させた状態を示す蓄勢機構の平面図である。図２８に示すように、第１クランク１１０と第２クランク１２０の固定解除時期を同期させた状態においては、第２クランク解除部２１４と第４ラッチ１８０の短手部１８１とが接触した状態で、第１クランク解除部２１３と第２ラッチ１６０の短手部１６１とが接触している。第１ラッチ１５０および第３ラッチ１７０についても同様である。
【００８７】
このように、距離Ｌを調節することにより、第１開閉器駆動軸１３０と第２開閉器駆動軸１４０との動作を所望のタイミングで行なわせることができる。その結果、補助スイッチ５０および通電スイッチ６０の切り換えを所望のタイミングで行なうことができる。
【００８８】
本実施形態の蓄勢機構１００においては、１つの動力入力部を用いて２つの出力を得られるため、切換開閉器を小型化できる。また、部品点数を削減できるため、負荷時タップ切換器のコストダウンを図れる。
【００８９】
以下、本発明の実施形態２に係る負荷時タップ切換器の切換開閉器の蓄勢機構について説明する。本実施形態は、第１ラッチおよび第２ラッチの形状のみ実施形態１の蓄勢機構１００と異なるため、他の構成については説明を繰り返さない。
【００９０】
(実施形態２)
図２９は、本発明の実施形態２に係る負荷時タップ切換器の切換開閉器の蓄勢機構の構成を示す平面図である。図２９に示すように、本実施形態の蓄勢機構においては、第１ラッチ３５０の短手部３５１が、第３ラッチ１７０の短手部１７１より幅が狭くなるように形成されている。第２ラッチ３６０の短手部３６１は、第４ラッチ１８０の短手部１８１より幅が狭くなるように形成されている。
【００９１】
上記の構成により、第２クランク解除部２１４と第４ラッチ１８０の短手部１８１とが接触した状態で、第１クランク解除部２１３と第２ラッチ３６０の短手部３６１との間に距離Ｌを設けている。第１ラッチ３５０および第３ラッチ１７０についても同様にすることができる。
【００９２】
この距離Ｌの長さを調節することにより、第１クランク解除部２１３による第１クランク１１０の固定の解除時期と第２クランク解除部２１４による第２クランク１２０の固定の解除時期との間の所定の間隔を調節している。
【００９３】
言い換えると、第１ラッチ３５０、第２ラッチ３６０、第３ラッチ１７０および第４ラッチ１８０の形状によって、第１クランク解除部２１３による第１クランク１１０の固定の解除時期と第２クランク解除部２１４による第２クランク１２０の固定の解除時期との間の所定の間隔を調節している。
【００９４】
本実施形態においても、第１開閉器駆動軸１３０と第２開閉器駆動軸１４０との動作を所望のタイミングで行なわせることができる。その結果、補助スイッチ５０および通電スイッチ６０の切り換えを所望のタイミングで行なうことができる。
【００９５】
以下、本発明の実施形態３に係る負荷時タップ切換器の切換開閉器の蓄勢機構について説明する。本実施形態は、第１クランク解除部の形状のみ実施形態１の蓄勢機構１００と異なるため、他の構成については説明を繰り返さない。
【００９６】
(実施形態３)
図３０は、本発明の実施形態３に係る負荷時タップ切換器の切換開閉器の蓄勢機構の構成を示す平面図である。図３０に示すように、本実施形態の蓄勢機構においては、第１クランク解除部３１３が、第２クランク解除部２１４より小さくなるように形成されている。
【００９７】
上記の構成により、第２クランク解除部２１４と第４ラッチ１８０の短手部１８１とが接触した状態で、第１クランク解除部３１３と第２ラッチ１６０の短手部１６１との間に距離Ｌを設けている。第１ラッチ１５０および第３ラッチ１７０についても同様にすることができる。
【００９８】
この距離Ｌの長さを調節することにより、第１クランク解除部３１３による第１クランク１１０の固定の解除時期と第２クランク解除部２１４による第２クランク１２０の固定の解除時期との間の所定の間隔を調節している。
【００９９】
言い換えると、第１クランク解除部３１３および第２クランク解除部２１４の形状によって、第１クランク解除部３１３による第１クランク１１０の固定の解除時期と第２クランク解除部２１４による第２クランク１２０の固定の解除時期との間の所定の間隔を調節している。
【０１００】
本実施形態においても、第１開閉器駆動軸１３０と第２開閉器駆動軸１４０との動作を所望のタイミングで行なわせることができる。その結果、補助スイッチ５０および通電スイッチ６０の切り換えを所望のタイミングで行なうことができる。
【０１０１】
以下、本発明の実施形態４に係る負荷時タップ切換器の切換開閉器の蓄勢機構について説明する。本実施形態は、第２クランク解除部２１４が入力ディスク２１０から分離して第１開閉器駆動軸１３０と連結されていることのみ実施形態１の蓄勢機構１００と異なるため、他の構成については説明を繰り返さない。
【０１０２】
(実施形態４)
図３１は、本発明の実施形態４に係る負荷時タップ切換器の蓄勢機構の構成を示す斜視図である。図３２は、本実施形態に係る蓄勢機構を下方から見た斜視図である。図３３は、本実施形態に係る蓄勢機構の構成を示す断面図である。
【０１０３】
図３１〜３３に示すように、本発明の実施形態４に係る負荷時タップ切換器の切換開閉器の蓄勢機構４００においては、入力ディスク２１０は、中心部および周縁部に開口を有する円盤２４０の上面に配置されている。入力ディスク２１０の回動中心と円盤２４０の中心とは、一致している。本実施形態においては、入力ディスク２１０は、円盤２４０上に配置されているが、円盤に限られず、平板上に配置されていればよい。
【０１０４】
円盤２４０の周縁部に設けられた開口２４１は、入力ディスク２１０の内周面に沿うように平面視において円弧状に形成されている。
【０１０５】
第１開閉器駆動軸１３０においては、円盤２４０の直下に位置する外側面から、第１開閉器駆動軸１３０の径方向に延在するアーム部２５０が設けられている。アーム部２５０の先端に、第２クランク解除部２１４が設けられている。
【０１０６】
第２クランク解除部２１４は、アーム部２５０の先端から第１開閉器駆動軸１３０の軸方向に延在し、円盤２４０の開口２４１を貫通して円盤２４０の上方に突出している。言い換えると、第１開閉器駆動軸１３０の外側面と繋がって開口２４１を貫通して平板の上方に突出している。第２クランク解除部２１４は、第１開閉器駆動軸１３０が周方向に回転することにより、開口２４１内で入力ディスク２１０の内周面に沿って移動できるように支持されている。
【０１０７】
本実施形態においては、第１開閉器駆動軸１３０と第１クランク１１０とが一体で形成されているが、これに限られず、第１開閉器駆動軸１３０と第１クランク１１０とは別体で形成されて互いに連結されていてもよい。
【０１０８】
また、第２開閉器駆動軸１４０と第２クランク１２０とが一体で形成されているが、これに限られず、第２開閉器駆動軸１４０と第２クランク１２０とは別体で形成されて互いに連結されていてもよい。
【０１０９】
以下、本実施形態に係る蓄勢機構４００の動作について説明する。
図３４は、第１クランクが第２固定位置に固定され、第２クランクが第４固定位置に固定されている状態を示す蓄勢機構の平面図である。なお、以下の説明に用いる図においては、簡単のため、蓄勢機構４００の構成の一部を図示していない。
【０１１０】
図３４に示すように、第１クランク１１０が第２固定位置に固定されている状態においては、第１クランク１１０の第２側部１１２と第２ラッチ１６０の長手部１６２とが係合している。このとき、第１ラッチ１５０による第１クランク１１０の拘束は解除されている。また、第１ばね１９０は、引っ張られておらず蓄勢していない。
【０１１１】
第２クランク１２０が第４固定位置に固定されている状態においては、第２クランク１２０の第４側部１２２と第４ラッチ１８０の長手部１８２とが係合している。このとき、第３ラッチ１７０による第２クランク１２０の拘束は解除されている。また、第２ばね２００は、引っ張られておらず蓄勢していない。
【０１１２】
図３５は、入力ディスクが左周りに回転している途中の状態を示す蓄勢機構の平面図である。図３５に示すように、入力ディスク２１０が矢印２２０で示すように左周りに回転し始めると、第１クランク１１０は第２ラッチ１６０に拘束されているため回転できない。そのため、第１ばね１９０が引っ張られて蓄勢される。同様に、第２クランク１２０は第４ラッチ１８０に拘束されているため回転できない。そのため、第２ばね２００が引っ張られて蓄勢される。
【０１１３】
図３６は、第１クランク解除部が第２ラッチの短手部に接触した状態を示す蓄勢機構の平面図である。図３６に示すように、本実施形態においては、入力ディスク２１０が左周りに回転して第１クランク解除部２１３が第２ラッチ１６０の短手部１６１に接触したとき、第２クランク解除部２１４は図３４に示す状態から移動していない。
【０１１４】
図３７は、第１クランク解除部が第２ラッチの短手部を押圧して第１クランクの拘束を解除した状態を示す蓄勢機構の平面図である。図３７に示すように、第１クランク解除部２１３が第２ラッチ１６０の短手部１６１を押圧することにより、第２ラッチ１６０はラッチピン１６３を中心に回動する。その結果、第２ラッチ１６０による第１クランク１１０の拘束が解除される。
【０１１５】
図３８は、第２ばねの蓄勢力が開放されて第１クランクが回転している状態を示す蓄勢機構の平面図である。図３８に示すように、第２ラッチ１６０による第１クランク１１０の拘束が解除されたことにより、第１ばね１９０の蓄勢力が開放される。その結果、第１クランク１１０は、入力ディスク２１０の中心を回転中心として回転する。
【０１１６】
このとき、第２クランク解除部２１４が第１クランク１１０の回転と連動して、入力ディスク２１０の中心を回転中心として回転する。
【０１１７】
図３９は、第２クランク解除部が第４ラッチの短手部に接触した状態を示す蓄勢機構の平面図である。図３９に示すように、第１クランク１１０がさらに左周りに回転することにより、第２クランク解除部２１４が第４ラッチ１８０の短手部１８１に接触する。
【０１１８】
図４０は、第２クランク解除部が第４ラッチの短手部を押圧して第２クランクの拘束を解除した状態を示す蓄勢機構の平面図である。図４０に示すように、第２クランク解除部２１４が第４ラッチ１８０の短手部１８１を押圧することにより、第４ラッチ１８０はラッチピン１８３を中心に回動する。その結果、第４ラッチ１８０による第２クランク１２０の拘束が解除される。
【０１１９】
このとき、第１クランク１１０が第１固定位置に到達し、第１ラッチ１５０がばね１５４の付勢力によりラッチピン１５３を中心に回動する。その結果、第１クランク１１０の第１側部１１１と第１ラッチ１５０の長手部１５２とが係合して、第１クランク１１０が第１ラッチ１５０により拘束されて第１固定位置に固定される。
【０１２０】
このように、第１クランク１１０が第２固定位置から第１固定位置に移動することにより、第１クランク１１０に繋がっている第１開閉器駆動軸１３０が回転して、図６から図９に示す切換開閉器のシーケンスが行なわれる。
【０１２１】
図４１は、第２ばねの蓄勢力が開放されて第２クランクが回転している状態を示す蓄勢機構の平面図である。図４１に示すように、第４ラッチ１８０による第２クランク１２０の拘束が解除されたことにより、第２ばね２００の蓄勢力が開放される。その結果、第２クランク１２０は、入力ディスク２１０の中心を回転中心として回転する。
【０１２２】
図４２は、第２クランクが第３ラッチに拘束されて第３固定位置に固定された状態を示す蓄勢機構の平面図である。図４２に示すように、第２クランク１２０が回転して第３固定位置に到達すると、第３ラッチ１７０は、ばねの付勢力によりラッチピン１７３を中心に回動する。
【０１２３】
その結果、第２クランク１２０の第３側部１２１と第３ラッチ１７０の長手部１７２とが係合して、第２クランク１２０が第３ラッチ１７０により拘束されて第３固定位置に固定される。
【０１２４】
このように、第２クランク１２０が第４固定位置から第３固定位置に移動することにより、第２クランク１２０に連結されている第２開閉器駆動軸１４０が回転して、図２から図５に示す切換開閉器のシーケンスが行なわれる。
【０１２５】
その結果、上記の負荷電流が出力される配線７０と接続されるタップが、偶数側タップ１２から奇数側タップ１１に切り換えられる。なお、入力ディスク２１０を右回りに回転させることにより、負荷電流が出力される配線７０と接続されるタップが、奇数側タップ１１から偶数側タップ１２に切り換えられる。
【０１２６】
上記の構成により、蓄勢機構４００においては、１つの動力入力部である入力ディスク２１０を用いて、第１クランク１１０および第２クランク１２０を回転させることにより２つの出力を得ることができる。その結果、第１開閉器駆動軸１３０および第２開閉器駆動軸１４０の各々を回転させて、負荷時タップ切換器の切換開閉を行なうことができる。
【０１２７】
本実施形態においては、第１クランク解除部２１３による第１クランク１１０の固定の解除時期と第２クランク解除部２１４による第２クランク１２０の固定の解除時期とに所定の間隔が設けられている。
【０１２８】
よって、第１開閉器駆動軸１３０と第２開閉器駆動軸１４０とを高速で高精度に連動して駆動させることが可能である。その結果、負荷時タップ切換器の切換開閉を高速で高精度に行なうことができる。
【０１２９】
なお、今回開示した上記実施形態はすべての点で例示であって、限定的な解釈の根拠となるものではない。したがって、本発明の技術的範囲は、上記した実施形態のみによって解釈されるものではなく、特許請求の範囲の記載に基づいて画定される。また、特許請求の範囲と均等の意味および範囲内でのすべての変更が含まれる。
【符号の説明】
【０１３０】
１０  変圧器巻線、１１  奇数側タップ、１２  偶数側タップ、２０  主真空スイッチ、３０  抵抗真空スイッチ、４０  限流抵抗器、５０  補助スイッチ、６０  通電スイッチ、７０  配線、１００，４００  蓄勢機構、１１０  第１クランク、１１１  第１側部、１１２  第２側部、１１３，１２３，２１１，２１２  突出部、１２０  第２クランク、１２１  第３側部、１２２  第４側部、１３０  第１開閉器駆動軸、１４０  第２開閉器駆動軸、１５０，３５０  第１ラッチ、１５１，１６１，１７１，１８１，３５１，３６１  短手部、１５２，１６２，１７２，１８２  長手部、１５３，１６３，１７３，１８３  ラッチピン、１５４，１６４  ばね、１６０，３６０  第２ラッチ、１７０  第３ラッチ、１８０  第４ラッチ、１９０  第１ばね、２００  第２ばね、２１０  入力ディスク、２１３，３１３  第１クランク解除部、２１４  第２クランク解除部、２４０  円盤、２４１  開口、２５０  アーム部。
【図１】
2012222064.tif 000003
【図２】
2012222064.tif 000004
【図３】
2012222064.tif 000005
【図４】
2012222064.tif 000006
【図５】
2012222064.tif 000007
【図６】
2012222064.tif 000008
【図７】
2012222064.tif 000009
【図８】
2012222064.tif 000010
【図９】
2012222064.tif 000011
【図１０】
2012222064.tif 000012
【図１１】
2012222064.tif 000013
【図１２】
2012222064.tif 000014
【図１３】
2012222064.tif 000015
【図１４】
2012222064.tif 000016
【図１５】
2012222064.tif 000017
【図１６】
2012222064.tif 000018
【図１７】
2012222064.tif 000019
【図１８】
2012222064.tif 000020
【図１９】
2012222064.tif 000021
【図２０】
2012222064.tif 000022
【図２１】
2012222064.tif 000023
【図２２】
2012222064.tif 000024
【図２３】
2012222064.tif 000025
【図２４】
2012222064.tif 000026
【図２５】
2012222064.tif 000027
【図２６】
2012222064.tif 000028
【図２７】
2012222064.tif 000029
【図２８】
2012222064.tif 000030
【図２９】
2012222064.tif 000031
【図３０】
2012222064.tif 000032
【図３１】
2012222064.tif 000033
【図３２】
2012222064.tif 000034
【図３３】
2012222064.tif 000035
【図３４】
2012222064.tif 000036
【図３５】
2012222064.tif 000037
【図３６】
2012222064.tif 000038
【図３７】
2012222064.tif 000039
【図３８】
2012222064.tif 000040
【図３９】
2012222064.tif 000041
【図４０】
2012222064.tif 000042
【図４１】
2012222064.tif 000043
【図４２】
2012222064.tif 000044